(57)【要約】【課題】  複数の歌唱者が順次使用する場合において、病原菌が感染するおそれを皆無にし、しかも無駄を大幅に低減する。【解決手段】  集音マイク３の集音部３ａに対して取り外し可能に直接に被着され、かつ抗菌処理が施された内部カバー部材１と、内部カバー部材１の着脱のために内部カバー部材１を包囲する外部カバー部材２とを含み、内部カバー部材１は、外部カバー部材２を介して把持可能、かつ把持状態知覚可能なつまみ部材１ａを有している。【選択図】  図２
0003110155.tif 000002
【実用新案登録請求の範囲】
【請求項１】
集音マイク（３）の集音部（３ａ）に対して取り外し可能に直接に被着され、かつ抗菌処理が施された内部カバー部材（１）と、内部カバー部材（１）の着脱のために内部カバー部材（１）を包囲する外部カバー部材（２）とを含み、内部カバー部材（１）は、外部カバー部材（２）を介して把持可能、かつ把持状態知覚可能なつまみ部材（１ａ）を有していることを特徴とするマイクカバー装置。
【考案の詳細な説明】
【技術分野】
【０００１】
本考案は、集音マイクの集音部に被着されるマイクカバー装置に関する。
【背景技術】
【０００２】
従来から、集音マイクは、カラオケ、歌謡ショーなど各種用途に使用されている。また、このような集音マイクは、通常は、集音部を外部に露出させたままの状態で使用されている。
【０００３】
カラオケ、歌謡ショーなどで使用される集音マイクは、複数の歌唱者が順次使用することになり、しかも、熱唱している場合には、集音マイクを口に近づけ、時には口に触れさせてしまうことになる。
【０００４】
この結果、集音マイクの集音部に唾液が付着し、この唾液中に病原菌が含まれている場合には、それ以降に歌唱する人に病原菌が感染してしまう可能性がある。
【０００５】
カラオケについてみれば、若年者のみならず老齢者も広く利用しているのであるとともに、病原菌が感染していることを自覚せずに歌唱する人もある程度存在していることを考慮すれば、上述のように、歌唱することによって、病原菌に感染する可能性が存在する。
そして、病原菌が感染しても、若年者のように体力がある人であれば発病には至らない可能性が高く、もしくは発病しても症状が軽い可能性が高いのであるが、老齢者のように体力が弱い人であれば、発病する可能性が高いだけでなく、症状が重くなってしまう可能性が高いことになる。
【０００６】
また、このような不都合を解消する目的で、集音マイクの集音部に対して取り外し可能に被着される使い捨ての抗菌仕様のカバー部材が提案されている。
【０００７】
このようなカバー部材を採用すれば、上述の不都合の発生を大幅に抑制できると思われる。
【考案の開示】
【考案が解決しようとする課題】
【０００８】
このようなカバー部材は、自己の物ではなく、かつ使い捨てであるから、歌唱後に取り外しを忘れてしまう可能性があり、このような場合には、次の歌唱者が取り外し作業を行い、次いで新たなカバー部材の装着を行うことになる。この結果、次の歌唱者は、前の歌唱者の唾液が付着したカバー部材に直接触れることになり、しかも、カバー部材は殺菌作用を有してはいないので、病原菌が感染するおそれがある。
【０００９】
また、カバー部材が使い捨てであるから、歌唱する曲の数だけカバー部材が必要になり、著しい資源の無駄を招いてしまう。
【００１０】
さらに、カバー部材の交換が手間であることに起因して、カバー部材を交換することなく順次歌唱を行うと、病原菌の感染のおそれが大きくなってしまう。
【００１１】
本考案は上記の問題点に鑑みてなされたものであり、複数の歌唱者が順次使用する場合において、病原菌が感染するおそれを皆無にすることができ、しかも無駄を大幅に低減することができるマイクカバー装置を提供することを目的としている。
【課題を解決するための手段】
【００１２】
本考案のマイクカバー装置は、集音マイクの集音部に対して取り外し可能に直接に被着され、かつ抗菌処理が施された内部カバー部材と、内部カバー部材の着脱のために内部カバー部材を包囲する外部カバー部材とを含み、内部カバー部材は、外部カバー部材を介して把持可能、かつ把持状態知覚可能なつまみ部材を有しているものである。
【００１３】
本考案のマイクカバー装置によれば、内部カバー部材に直接触れることなく、集音マイクの集音部に対する内部カバー部材の着脱を行うことができる。
【００１４】
また、このようにして内部カバー部材が被着された状態で歌唱し、歌唱終了後には外部カバー部材を用いて内部カバー部材を取り外すことによって、それ以降の歌唱者に病原菌を感染させるおそれを皆無にすることができる。もちろん、自己が、それ以前の歌唱者からの病原菌に感染するおそれも皆無にすることができる。
【００１５】
さらに、内部カバー部材のみを廃棄することはないのであるから、洗濯などにより洗浄して再使用することによって、資源の無駄を大幅に抑制することができる。
【考案の効果】
【００１６】
本考案のマイクカバー装置は、病原菌の感染のおそれを皆無にすることができ、しかも何ら不都合なく集音マイクを使用することができ、さらに資源の無駄を大幅に抑制することができるという特有の実用的効果を奏する。
【考案を実施するための最良の形態】
【００１７】
以下、添付図面を参照して、本考案のマイクカバー装置の実施の形態を詳細に説明する。
【００１８】
図１は本考案のマイクカバー装置の一実施形態を示す縦断面図である。
本マイクカバー装置は、集音マイクの集音部に対して取り外し可能に被着される内部カバー部材１と、内部カバー部材１を内部に収容する外部カバー部材２とを有している。
前記内部カバー１は、音声を集音部にスムーズに伝達できる材質（例えば、不織布、織布など）で集音部にフィットするように形成されているとともに、従来公知の抗菌処理が施されたものである。そして、集音部に被着された状態における内部カバー部材１の上部につまみ部材１ａが設けられている。
【００１９】
前記外部カバー部材２は、内部カバー部材１を収容可能なものであり、内部カバー部材１に付着された唾液などの滲みだしを阻止できる材質（例えば、ビニールなど）で形成されている。また、外部カバー部材２は、その外部からつまみ部材１ａを把持可能であるとともに、つまみ部材１ａを把持していることを知覚可能な厚み、柔軟性などを有している。
【００２０】
本マイクカバー装置の作用は次のとおりである。
歌唱する順番になった場合には、外部カバー部材２に収容された状態のままで、内部カバー部材１を集音マイク３の集音部３ａに被着する（図２参照）。
【００２１】
次いで、つまみ部材１ａを把持することなく外部カバー部材２を抜き取ることによって、集音マイク３の集音部３ａに内部カバー部材１を残留させる（図３参照）。
この状態で、集音マイク３のスイッチ（図示せず）をオンにして歌唱することができる。
歌唱が終了した場合には、自己の外部カバー部材２を内部カバー部材１に被せ、この状態において、外部カバー部材２を介してつまみ部材１ａを把持し、つまみ部材１ａを把持したままで外部カバー部材２を抜き取ることによって、集音マイク３の集音部３ａから内部カバー部材１をも抜き取ることができる。
【００２２】
したがって、歌唱者がそれぞれ自己のマイクカバー装置を持参していれば、内部カバー部材１の着脱を忘れることがなくなり、病原菌の感染を皆無にすることができる。
また、内部カバー部材１を廃棄する必要がなくなるので、無駄を大幅に低減することができる。
【図面の簡単な説明】
【００２３】
【図１】本発明のマイクカバー装置の一実施形態を示す縦断面図である。
【図２】図１のマイクカバー装置を集音マイクの集音部に被着した状態を示す縦断面図である。
【図３】図２の状態から外部カバー部材のみを抜き取った状態を示す縦断面図である。
【符号の説明】
【００２４】
１  内部カバー部材
１ａ  つまみ部材
２  外部カバー部材
３  集音マイク
３ａ  集音部
【図１】
0003110155.tif 000003
【図２】
0003110155.tif 000004
【図３】
0003110155.tif 000005